(57)【要約】【課題】コネクタ嵌合する第一コネクタと第二コネクタとが周方向の位置決めに自由度をもって接続しつつ、周方向の位置決めに自由度をもたせる輪状の輪状接続部を含む端子を第一コネクタのハウジングに取り付け易いコネクタを提供すること。【解決手段】複数の第一端子１０ｆ、１０ｄと、輪状接続部１１ｆ、１１ｂを保持するハウジング３０とを備える第一コネクタ１０と、各第一端子１０ｆ、１０ｂに対して周方向の位置決めに自由度をもって接続する複数の第二端子２１０ｆ、２１０ｂを備える第二コネクタ２００と、を有するコネクタおいて、ハウジング３０は、嵌合方向前端から後端に向けて第一端子１０ｆ、１０ｄの取り付け数に応じて段階的に外径を拡大した断面外形円形状をなし、かつ外径に応じた内径の輪状接続部１１ｆ、１１ｂを含む第一端子１０ｆ、１０ｂを取り付ける複数の端子取付外周面部を有する。【選択図】図２
2015035366.tif 000002
【特許請求の範囲】
【請求項１】
輪状の輪状接続部を含む複数の第一端子と、該複数の第一端子の輪状接続部を嵌合方向に沿って並ぶように保持するハウジングとを備える第一コネクタと、前記第一コネクタにコネクタ嵌合する場合、前記複数の第一端子の各第一端子に対して周方向の位置決めに自由度をもって接続する複数の第二端子を備える第二コネクタと、を有するコネクタおいて、
前記ハウジングは、
嵌合方向前端から後端に向けて前記第一端子の取り付け数に応じて段階的に外径を拡大した断面外形円形状をなし、かつ外径に応じた内径の前記輪状接続部を含む前記第一端子を取り付ける複数の端子取付外周面部
を有することを特徴とするコネクタ。
【請求項２】
前記ハウジングは、
隣り合う前記端子取付外周面部の段差をテーパー状に形成したテーパー部
を有することを特徴とする請求項１に記載のコネクタ。
【請求項３】
前記第二端子は、
前記輪状接続部の外周面に内周面を弾性的に接触する輪状の第二端子輪状接続部
を有することを特徴とする請求項１または２に記載のコネクタ。
【請求項４】
前記第一コネクタは、
前記第二輪状接続部の内周面に接触する棒状の棒状接続部を含む第三端子を有し、
前記ハウジングは、
筒状をなし、前記棒状接続部を先端開口から突出するように前記第三端子をハウジング内に保持収容する端子保持収容部
を有することを特徴とする請求項３に記載のコネクタ。
【発明の詳細な説明】
【技術分野】
【０００１】
本発明は、周方向の位置決めに自由度をもってコネクタ嵌合する第一コネクタと第二コネクタとを有するコネクタに関する。
【背景技術】
【０００２】
従来、コネクタ嵌合する第一コネクタと第二コネクタとを有するコネクタは、狭いスペースに設置される場合、コネクタ嵌合の作業を容易にすることが重要となる。
【０００３】
例えば、特許文献１には、第一コネクタと第二コネクタとをコネクタ嵌合する際の周方向の位置決めに自由度をもたせたコネクタが記載されている。
【０００４】
特許文献１に記載されたコネクタは、三つの筒状プラグコンタクト（第一端子）を備え、三つの筒状プラグコンタクトを嵌合方向に沿って並ぶように保持する副組立体（第一コネクタ）と、各筒状プラグコンタクトに対して周方向の嵌め合いに自由度をもって嵌合する三つのリセプタクルコンタクト（第二端子）を備えた副組立体（第二コネクタ）と、を有する。
【先行技術文献】
【特許文献】
【０００５】
【特許文献１】特開２００２−７５５５８号公報
【発明の概要】
【発明が解決しようとする課題】
【０００６】
しかしながら、特許文献１に記載されたコネクタは、プラグハウジングが同一径の三つの筒状プラグコンタクト（輪状の輪状接続部を含む端子）を嵌合方向に間隔を空けて保持するため、プラグハウジングに設けた係止溝、または係止突起等によって各筒状プラグコンタクトをプラグハウジングの所定位置に係止する必要があり、プラグハウジングの後端側に配置する筒状プラグコンタクトほどプラグハウジングの前側の係止溝、または係止突起等が邪魔になり、プラグハウジングに取り付け難いという問題があった。
【０００７】
本発明は、上記に鑑みてなされたものであって、コネクタ嵌合する第一コネクタと第二コネクタとが周方向の位置決めに自由度をもって接続しつつ、周方向の位置決めに自由度をもたせる輪状の輪状接続部を含む端子を第一コネクタのハウジングに取り付け易いコネクタを提供することを目的とする。
【課題を解決するための手段】
【０００８】
上述した課題を解決し、目的を達成するために、本発明の請求項１に係るコネクタは、  輪状の輪状接続部を含む複数の第一端子と、該複数の第一端子の輪状接続部を嵌合方向に沿って並ぶように保持するハウジングとを備える第一コネクタと、前記第一コネクタにコネクタ嵌合する場合、前記複数の第一端子の各第一端子に対して周方向の位置決めに自由度をもって接続する複数の第二端子を備える第二コネクタと、を有するコネクタおいて、前記ハウジングは、嵌合方向前端から後端に向けて前記第一端子の取り付け数に応じて段階的に外径を拡大した断面外形円形状をなし、かつ外径に応じた内径の前記輪状接続部を含む前記第一端子を取り付ける複数の端子取付外周面部を有することを特徴とする。
【０００９】
また、本発明の請求項２に係るコネクタは、上記の発明において、前記ハウジングは、隣り合う前記端子取付外周面部の段差をテーパー状に形成したテーパー部を有することを特徴とする。
【００１０】
また、本発明の請求項３に係るコネクタは、上記の発明において、前記第二端子は、前記輪状接続部の外周面に内周面を弾性的に接触する輪状の第二端子輪状接続部を有することを特徴とする。
【００１１】
また、本発明の請求項４に係るコネクタは、上記の発明において、前記第一コネクタは、前記第二輪状接続部の内周面に接触する棒状の棒状接続部を含む第三端子を有し、前記ハウジングは、筒状をなし、前記棒状接続部を先端開口から突出するように前記第三端子をハウジング内に保持収容する端子保持収容部を有することを特徴とする。
【発明の効果】
【００１２】
本発明の請求項１に係るコネクタは、嵌合方向後側の前記端子取付外周面部に配置する前記輪状接続部を嵌合方向前側の前記輪状接続部に比して内径を大きく設定しているため、嵌合方向前側の前記輪状接続部を前記端子取付外周面部に係止するための係止突起等に干渉せず後側の前記輪状接続部に前記ハウジングを先端側から挿通し、前記輪状接続部を対応する嵌合方向後側の前記端子取付外周面部に配置できるので、コネクタ嵌合する第一コネクタと第二コネクタとが周方向の位置決めに自由度をもって接続しつつ、周方向の位置決めに自由度をもたせる輪状の輪状接続部を含む端子を第一コネクタのハウジングに取り付け易い。
【００１３】
本発明の請求項２に係るコネクタは、隣り合う前記端子取付外周面部の段差をテーパー状に形成しているので、後側の前記輪状接続部にハウジングを先端側から挿通する際、前側の前記端子取付外周面部と後側の前記端子取付外周面部との段差を容易に通過させることができる。
【００１４】
本発明の請求項３に係るコネクタは、前記第一端子と、前記第二端子とが互いに輪状をなし、外周面と内周面とで接触するようになっているので、周方向の接続をより確実にすることができる。
【００１５】
本発明の請求項４に係るコネクタは、前記ハウジングの外周に複数の前記第一端子を取り付けるとともに、前記ハウジング内に前記第三端子を保持収容するので、前記ハウジングに効率的に複数の端子を配置することができる。
【図面の簡単な説明】
【００１６】
【図１】図１は、（ａ）が本発明の実施例に係るコネクタの第一コネクタと第二コネクタとを嵌合する前の状態を示し、（ｂ）がコネクタの第一コネクタと第二コネクタとを嵌合した状態を示す図である。
【図２】図２は、（ａ）が図１（ａ）に示すコネクタのＡ−Ａ線断面図であり、（ｂ）が図１（ｂ）に示すコネクタのＢ−Ｂ線断面図である。
【図３】図３は、第一コネクタの分解斜視図である。
【図４】図４は、（ａ）および（ｂ）が第一コネクタのカバーを除く組立体をそれぞれ異なる方向から視た斜視図である。
【図５】図５は、第一ハウジングの拡大斜視図である。
【図６】図６は、第一ハウジングの断面図である。
【図７】図７は、（ａ）および（ｂ）がそれぞれ異なる方向から視た前側第一端子の斜視図である。
【図８】図８は、（ａ）および（ｂ）がそれぞれ異なる方向から視た後側第一端子の斜視図である。
【図９】図９は、（ａ）および（ｂ）がそれぞれ異なる方向から視た第三端子の斜視図である。
【図１０】図１０は、（ａ）が前側第二端子の斜視図を示し、（ｂ）が中間第二端子の斜視図を示し、（ｃ）が後側第二端子を示す斜視図である。
【図１１】図１１は、第一コネクタの組み立て手順を示す図である。
【図１２】図１２は、第一コネクタの組み立て手順を示す図である。
【発明を実施するための形態】
【００１７】
以下、図面を参照して、本発明に係るコネクタの好適な実施例を詳細に説明する。
【実施例】
【００１８】
図１は、（ａ）が本発明の実施例に係るコネクタ１の第一コネクタ１０と第二コネクタ２００とを嵌合する前の状態を示し、（ｂ）がコネクタ１の第一コネクタ１０と第二コネクタ２００とを嵌合した状態を示す図である。図２は、（ａ）が図１（ａ）に示すコネクタ１のＡ−Ａ線断面図であり、（ｂ）が図１（ｂ）に示すコネクタ１のＢ−Ｂ線断面図である。図３は、第一コネクタ１０の分解斜視図である。図４は、（ａ）および（ｂ）が第一コネクタ１０のカバー８０を除く組立体をそれぞれ異なる方向から視た斜視図である。図５は、第一ハウジング３０の拡大斜視図である。図６は、第一ハウジング３０の断面図である。図７は、（ａ）および（ｂ）がそれぞれ異なる方向から視た前側第一端子１０ｆの斜視図である。図８は、（ａ）および（ｂ）がそれぞれ異なる方向から視た後側第一端子１０ｂの斜視図である。図９は、（ａ）および（ｂ）がそれぞれ異なる方向から視た第三端子２０の斜視図である。図１０は、（ａ）が前側第二端子２１０ｆの斜視図を示し、（ｂ）が中間第二端子２１０ｍの斜視図を示し、（ｃ）が後側第二端子２１０ｂを示す斜視図である。
【００１９】
本発明の実施例に係るコネクタ１は、輪状の輪状接続部１１ｆ、１１ｂを含む二つの第一端子１０ｆ、１０ｂと、棒状の棒状接続部２１を含む一つの第三端子２０と、輪状接続部１１ｆ、１１ｂおよび棒状接続部２１を嵌合方向に沿って並ぶように保持するハウジング３０とを備える第一コネクタ１０と、第一コネクタ１０にコネクタ嵌合する場合、二つの第一端子１０ｆ、１０ｂの各第一端子１０ｆ、１０ｂおよび第三端子２０に対して周方向の位置決めに自由度をもって接続する三つの第二端子２１０ｆ、２１０ｍ、２１０ｂを備える第二コネクタ２００と、を有する。
【００２０】
まず、第一コネクタ１０について説明する。
第一コネクタ１０は、二つの第一端子１０ｆ、１０ｂと、一つの第三端子２０と、第一端子１０ｆ、１０ｂおよび第三端子２０を保持するハウジング３０（以下、第一ハウジングという。）と、第一ハウジング３０の後端部を覆うカバー８０と、を有する。
【００２１】
二つの第一端子１０ｆ、１０ｂのうち、後述する前側端子取付外周面部３１ｆに取り付ける第一端子１０ｆ（以下、前側第一端子という。）は、銅、あるいは銅合金等の金属からなる板状部材を金型プレス加工等によって成形した端子金具である。前側第一端子１０ｆは、第二端子２１０ｍに接続する輪状接続部１１ｆ（以下、前側輪状接続部という。）と、電線を接続する電線接続部１２ｆと、輪状接続部１１ｆと電線接続部１２ｆとの間を連接する中間部１３ｆと、を有する。
【００２２】
前側輪状接続部１１ｆは、電線接続部１２ｆの延在方向に直交する方向に突出した一対の突片１１１ｆ、１１１ｆを輪状に屈曲して形成する。
この前側輪状接続部１１ｆは、前側端子取付外周面部３１ｆの外径に応じた内径に設定し、前側端子取付外周面部３１ｆに取り付ける。
【００２３】
電線接続部１２ｆは、導体圧着部１２１ｆと、電線被覆圧着部１２２ｆと、を有する。
導体圧着部１２１ｆは、電線Ｗの導体部に圧着する部分であり、電線Ｗを載置する電線載置部から突出した一対の圧着片を加締めることによって導体部に接続する。
【００２４】
電線被覆圧着部１２２ｆは、導体部を絶縁材によって保護する絶縁被覆部に圧着する筒状部分であり、加締めることによって絶縁被覆部を保持する。
【００２５】
中間部１３ｆは、電線被覆圧着部１２２ｆをハウジング３０の後端部に位置するように前側輪状接続部１１ｆと電線接続部１２ｆとの間の長さを調整する。
【００２６】
次に、二つの第一端子１０ｆ、１０ｂのうち、後述する後側端子取付外周面部３１ｂに取り付ける第一端子１０ｂ（以下、後側第一端子１０ｂという。）について説明する。
なお、電線接続部１２ｂは、前側第一端子１０ｆと同様な構成であるため説明を省略する。  
【００２７】
後側第一端子１０ｂは、銅、あるいは銅合金等の金属からなる板状部材を金型プレス加工等によって成形した端子金具である。後側第一端子１０ｂは、第二端子２１０ｆに接続する輪状接続部１１ｂ（以下、後側輪状接続部という。）と、電線を接続する電線接続部１２ｂと、後側輪状接続部１１ｂと電線接続部１２ｂとの間を連接する中間部１３ｂと、を有する。
【００２８】
後側輪状接続部１１ｂは、電線接続部１２ｂの延在方向に直交する方向に突出した一対の突片１１１ｂ、１１１ｂが輪状に屈曲させて形成する。
この後側輪状接続部１１ｂは、後側端子取付外周面部３１ｂの外径に応じた内径に設定し、後側端子取付外周面部３１ｂに沿って取り付ける。
このため、後側輪状接続部１１ｂは、前側輪状接続部１１ｆに比して内径を大きく設定する。
【００２９】
なお、後側輪状接続部１１ｂは、後側端子取付外周面部３１ｂに取り付けた状態で、一対の突片１１１ｂ、１１１ｂの間に前側第一端子１０ａの中間部１３ｆを配置できるような隙間を形成する。これにより、後側第一端子が前側第一端子に接触しないようになっている。
【００３０】
中間部１３ｂは、電線被覆圧着部１３２ｂをハウジング３０の後端部に位置するように後側輪状接続部１１ｂと電線接続部１２ｂとの間の長さを調整する。このため、中間部１３ｂは、前側第一端子１０ｆの中間部１３ｆに比して短く調整する。
【００３１】
次に、第三端子２０について説明する。
第三端子２０は、銅、あるいは銅合金等の金属からなる板状部材を金型プレス加工等によって成形した端子金具である。
【００３２】
この第三端子２０は、棒状接続部２１と、電線Ｗに接続する電線接続部２２と、棒状接続部２１と電線接続部２２との間を連接する中間部２３と、を有する。
【００３３】
棒状接続部２１は、第二端子２１０ｂに接続する棒状部分である。
【００３４】
電線接続部２２は、導体圧着部２２ａと、電線被覆圧着部２２ｂと、を有する。
導体圧着部２２ａは、電線Ｗの導体部に圧着する部分であり、電線Ｗが載置される電線載置部から突出した一対の圧着片を加締めることによって導体部に接続する。
【００３５】
電線被覆圧着部２２ｂは、導体部を絶縁材によって保護する絶縁被覆部に圧着する筒状部分であり、加締めることによって絶縁被覆部を保持する。  
【００３６】
中間部２３は、ハウジング３０の後述する端子収容空間６１の形状に対応した断面外形矩形状の箱形をなす。
この中間部２３は、棒状接続部２１との連結部分から後方に向けた所定区間だけ、開口部２３ａが形成することによって、端子係止部６２に係止する係止部を設ける。すなわちは、開口部２３ａの開口縁面が端子係止部６２を係止する係止面として機能する。
【００３７】
次に、ハウジング３０（以下、第一ハウジングという。）について説明する。
第一ハウジング３０は、筒状の絶縁材からなり、各第一端子１０ｆ、１０ｂを取り付ける二箇所の端子取付外周面部３１ｆ、３１ｂと、隣り合う端子取付外周面部３１ｆ、３１ｂの段差をテーパー状に形成したテーパー部５０と、第三端子２０を保持収容する端子保持収容部６０と、カバー取付部７０と、を有する。
【００３８】
二箇所の端子取付外周面部３１ｆ、３１ｂ（以下、嵌合方向前側を前側端子取付外周面部、嵌合方向後側を後側端子取付外周面部という。）は、嵌合方向前端から後端に向けて第一端子１０ｆ、１０ｂの取り付け数に応じて段階的に外径を拡大した断面外形円形状をなし、かつ外径に応じた内径の輪状接続部１１ｆ、１１ｂを含む第一端子１０ｆ、１０ｂを取り付けるようになっている。
【００３９】
また、第一ハウジング３０は、前側第一端子１０ｆを前側端子取付外周面部３１ｆに係止する前側係止部４０ｆ、および後側第一端子１０ｂを後側端子取付外周面部３１ｂに係止する後側係止部４０ｂを設ける。
前側係止部４０ｆは、前側端子取付外周面部３１ｆに突起した複数の前側係止突起部４１ｆと、前側端子取付外周面部３１ｆに昇り段状に形成した前側係止段差部４２ｆとを前側輪状接続部１１ｆの幅にほぼ等しい間隔を空けて設ける。
【００４０】
前側係止突起部４１ｆは、前側端子取付外周面部３１ｆの外周に沿って複数設ける。
前側係止段差部４２ｆは、後述するテーパー部５０の傾斜の立ち上がり部分を直角に切り落として形成する。
前側第一端子１０ｆは、前側輪状接続部１１ｆが複数の前側係止突起部４１ｆと前側係止段差部４２ｆとの間に配置されることによって前側端子取付外周面部３１ｆに係止される。
【００４１】
後側係止部４０ｂは、後側端子取付外周面部３１ｂに突起した複数の後側係止突起部４１ｂと、後側端子取付外周面部３１ｂに昇り段状に形成した後側係止段差部４２ｂとを後側輪状接続部１１ｂの幅にほぼ等しい間隔を空けて設ける。
【００４２】
後側係止突起部４１ｂは、後側端子取付外周面部３１ｂの外周に沿って複数設ける。
【００４３】
後側第一端子１０ｂは、後側輪状接続部１１ｂが複数の後側係止突起部４１ｂと後側係止段差部４２ｂとの間に配置されることによって後側端子取付外周面部３１ｂに係止される。
【００４４】
端子保持収容部６０は、棒状接続部２１を先端開口３０ａから突出するように第一ハウジング３０内に第三端子２０を保持収容する。この端子保持収容部６０は、端子収容空間６１と、端子係止部６２と、を有する。  
【００４５】
端子収容空間６１は、第一ハウジング３０を後端から前端まで貫通して形成する空間であり、第三端子２０を後端開口３０ｂから収容空間内に挿入することによって、先端開口３０ａから棒状接続部２１を突出するようになっている。
【００４６】
端子係止部６２は、第三端子２０を端子収容空間６１の所定位置に係止するものである。
【００４７】
カバー取付部７０は、第一ハウジング３０のカバー８０が取り付けられる部分である。
このカバー取付部７０は、前側および後側第一端子１０ｆ、１０ｂの電線接続部１２ｆ、１２ｂを覆うようにカバー８０が取り付けられる。すなわち、棒状接続部２１、および前側および後側輪状接続部１１ｆ、１１ｂはカバー８０に覆われず、第二端子２１０ｆ、２１０ｍ、２１０ｂに接続できるようになっている。
【００４８】
カバー８０は、筒状の絶縁材からなり、カバー８０の後端部開口を塞ぐ蓋部８１と、第二ハウジング２２０の嵌入口端縁面２２０ａに突き当てる突き当て段差部８２と、を有する。
【００４９】
蓋部８１は、カバー８０の後端部に設けた可撓部８１ａを介して開閉可能に設ける。この蓋部８１は、第一ハウジング３０内から電線Ｗを引き出すことができるように電線挿通孔８１ｂを形成する。
【００５０】
次に、第二コネクタ２００について説明する。
第二コネクタ２００は、三つの第二端子２１０ｆ、２１０ｍ、２１０ｂと、三つの第二端子２１０ｆ、２１０ｍ、２１０ｂを保持する第二ハウジング２２０と、を有する。  
【００５１】
まず、三つの第二端子２１０ｆ、２１０ｍ、２１０ｂのうち、第二ハウジング２２０の前側に取り付ける第二端子２１０ｆ（以下、前側第二端子という。）について説明する。
【００５２】
前側第二端子２１０ｆは、銅、あるいは銅合金等の金属からなる板状部材が金型プレス加工等によって成形した端子金具である。
【００５３】
この前側第二端子２１０ｆは、図１０（ａ）に示すように、後側輪状接続部１１ｂの外周面に内周面を弾性的に接触する輪状の第二端子輪状接続部２１１ｆと、第二端子輪状接続部２１１ｆに連接し、不図示の接続先に接続する接続片部２１４と、を有する。
【００５４】
第二端子輪状接続部２１１ｆは、前端縁面からの切り込み２１２ａが二箇所に形成され、前方に向けて内径を絞るように形成する絞り部２１２と、内径が一定の部分である内径一定部２１３と、を有する。
【００５５】
第二端子輪状接続部２１１ｆは、内部に挿通した後側第一端子１０ｂの外表面に絞り部２１２を弾性的に付勢する。
【００５６】
次に、三つの第二端子２１０ｆ、２１０ｍ、２１０ｂのうち、第二ハウジング２２０の後側に取り付ける第二端子２１０ｂ（以下、後側第二端子という。）について説明する。
【００５７】
後側第二端子２１０ｂは、銅、あるいは銅合金等の金属からなる板状部材が金型プレス加工等によって成形された端子金具である。
【００５８】
この後側第二端子２１０ｂは、図１０（ｃ）に示すように、第三端子２０の棒状接続部２１の外周面に内周面を弾性的に接触する輪状の第二端子輪状接続部２１１ｂを有する。
【００５９】
第二端子輪状接続部２１１ｂは、前側第二端子２１０ｆと同様に、前端縁面からの切り込みが二箇所に形成され、前方に向けて内径を絞るように形成する絞り部２１２と、内径が一定の部分である内径一定部２１３と、を有する。  
【００６０】
次に、三つの第二端子２１０ｆ、２１０ｍ、２１０ｂのうち、前側第二端子２１０ｆと後側第二端子２１０ｂとの間に取り付ける第二端子２１０ｍ（以下、中間第二端子という。）について説明する。
【００６１】
中間第二端子２１０ｍは、銅、あるいは銅合金等の金属からなる板状部材が金型プレス加工等によって成形された端子金具である。
【００６２】
この中間第二端子２１０ｍは、図１０（ｂ）に示すように、前側第二端子２１０ｆと同様の構成であり、前側輪状接続部１１ｆの外周面に内周面を弾性的に接触する輪状の第二端子輪状接続部２１１ｍと、第二端子輪状接続部２１１ｍに連接し、不図示の接続先に接続する接続片部２１４と、を有する。
【００６３】
これら三つの第二端子２１０ｆ、２１０ｍ、２１０ｂは、図２に示すように、接続する前側および後側第一端子１０ｆ、１０ｂ、あるいは第三端子２０の嵌合方向での並び位置に応じた配置、および各第二端子輪状接続部の内径を、輪状接続部、あるいは棒状接続部の外径寸法に応じた寸法に調整する。
【００６４】
次に、第二ハウジング２２０について説明する。
【００６５】
第二ハウジング２２０は、筒状の絶縁材からなり、三つの第二端子２１０ｆ、２１０ｍ、２１０ｂを保持収容する第二端子保持収容部２２１を有する。
【００６６】
第二端子保持収容部２２１は、第二ハウジング２２０の嵌合方向前端から後端に向けて、前側第二端子２１０ｆ、中間第二端子２１０ｍ、および後側第二端子２１０ｂを並べて保持する。
【００６７】
ここで、図１１および図１２を用いて第一コネクタ１０の組み立て手順について説明する。
なお、この説明では、カバー８０を取り付ける前までの手順を示す。図１１および図１２は、第一コネクタ１０の組み立て手順を示す図である。
また、図１１および図１２では電線Ｗを省略して示す。
【００６８】
まず、作業者は、第三端子２０を第一ハウジング３０に取り付ける（図１１（ａ）参照）。第三端子２０は、第一ハウジング３０の後端開口３０ｂから挿入し、先端開口３０ａから棒状接続部２１を突出した状態で端子係止部によって係止する。
【００６９】
その後、作業者は、前側第一端子１０ｆを第一ハウジング３０の前側端子取付外周面部３１ｆに取り付ける（図１１（ｂ）参照）。この作業では、前側輪状接続部１１ｆに第一ハウジング３０を先端側から挿通し、前側輪状接続部１１ｆを前側係止突起部４１ｆと前側係止段差部４２ｆとの間に配置する。
【００７０】
その後、作業者は、後側第一端子１０ｂを第一ハウジング３０の後側端子取付外周面部３１ｂに取り付ける（図１２（ｃ）参照）。この作業では、後側輪状接続部１１ｂが後側端子取付外周面部３１ｂに対応して前側輪状接続部１１ｆに比して内径を大きく設定しているため、前側係止突起部４１ｆと前側係止段差部４２ｆに干渉せず後側輪状接続部１１ｂに第一ハウジング３０を先端側から挿通し、後側輪状接続部１１ｂを後側係止突起部４１ｂと後側係止段差部４２ｂとの間に配置できる。
これにより、カバー８０を取る付ける前までの第一コネクタ１０の組み立て作業を完了する（図１２（ｄ）参照）。
【００７１】
次に、図１および図２を用いて第一コネクタ１０と第二コネクタ２００との嵌合手順について説明する。
まず、作業者は、第一コネクタ１０を第二コネクタ２００の嵌合口から嵌入開始する（図１（ａ）、図２（ａ）参照）。
なお、前側および後側第一端子１０ｆ、１０ｂと、第三端子２０とは、対応する第二端子２１０ｆ、２１０ｍ、２１０ｂの第二端子輪状接続部２１１ｆ、２１１ｍ、２１１ｂの内周面に各輪状接続部１１ｆ、１１ｂ、あるいは棒状接続部２１を接触するように嵌合方向に配置しているため、作業者は、周方向の位置決めに自由度をもたせて第一コネクタ１０を第二コネクタ２００に嵌入することができる。
【００７２】
その後、作業者は、付き当て段差部８２が嵌入口端縁面２２０ａに突き当たるまで第一コネクタ１０を第二コネクタ２００に嵌入し、不図示の係合部によって第一コネクタ１０と第二コネクタ２００とを固定することによって、第一コネクタ１０と第二コネクタ２００とのコネクタ嵌合を完了する（図１（ｂ）、図２（ｂ）参照）。これにより、前側および後側第一端子１０ｆ、１０ｂと、第三端子２０とは、各第二端子２１０ｆ、２１０ｍ、２１０ｂに接触する。
【００７３】
本発明の実施例に係るコネクタ１は、後側端子取付外周面部３１ｂに配置する後側輪状接続部１１ｂを前側輪状接続部１１ｆに比して内径を大きく設定しているため、前側輪状接続部１１ｆを前側端子取付外周面部３１ｆに係止するための前側係止突起部４１ｆ、あるいは前側係止段差部４２ｆに干渉せず後側輪状接続部１１ｂに第一ハウジング３０を先端側から挿通し、後側輪状接続部１１ｂを対応する後側端子取付外周面部３１ｂに配置できるので、コネクタ嵌合する第一コネクタ１０と第二コネクタ２００とが周方向の位置決めに自由度をもって接続しつつ、周方向の位置決めに自由度をもたせる輪状の輪状接続部を含む端子を第一コネクタ１０の第一ハウジング３０に取り付け易い。
【００７４】
また、本発明の実施例に係るコネクタ１は、隣り合う前側および後側端子取付外周面部３１ｂの段差をテーパー状に形成しているので、後側輪状接続部１１ｂに第一ハウジング３０を先端側から挿通する際、前側端子取付外周面部３１ｆと後側端子取付外周面部３１ｂとの段差を容易に通過させることができる。
【００７５】
また、本発明の実施例に係るコネクタ１は、第一端子１０ｆ、１０ｂと、第二端子２１０ｆ、２１０ｂとが互いに輪状をなし、外周面と内周面とで接触するようになっているので、周方向の接続をより確実にすることができる。
【００７６】
また、本発明の実施例に係るコネクタ１は、第一ハウジング３０の外周に複数の第一端子１０ｆ、１０ｂを取り付けるとともに、第一ハウジング３０内に第三端子２０を保持収容するので、第一ハウジング３０に効率的に複数の端子を配置することができる。
【００７７】
なお、本発明の実施例に係るコネクタ１は、第一コネクタ１０が第三端子２０を有するものを例示したが、これに限らず、第一コネクタ１０は第三端子を有しない構成であっても構わない。すなわち、第二端子２１０ｆ、２１０ｍに接続する端子として第一端子１０ｆ、１０ｂのみを有するものであってもよい。
【００７８】
また、本発明の実施例に係るコネクタ１は、二つの第一端子１０ｆ、１０ｂと、二つの第二端子２１０ｆ、２１０ｍとが接続するものを例示したが、第一端子１０ｆ、１０ｂおよび第二端子２１０ｆ、２１０ｍの数はこれに限定されず、第一端子１０ｆ、１０ｂおよび第二端子２１０ｆ、２１０ｍの数はそれぞれ複数であればその他の数であっても構わない。
【００７９】
また、本発明の実施例に係るコネクタ１は、第一端子１０ｆ、１０ｂおよび第三端子２０に接続する第二端子２１０ｆ、２１０ｍ、２１０ｂが輪状の第二端子輪状接続部２１１ｆ、２１１ｍ、２１１ｂを有するものを例示したが、これに限らず、第二端子は、例えば、片状の接続部が第一端子の輪状接続部の外周面に接触するような端子であっても構わない。
【００８０】
また、本発明の実施例に係るコネクタ１は、テーパー部５０を有するものを例示したが、これに限らず、隣り合う前側および後側端子取付外周面部３１ｆ、３１ｂの段差が直角状の段差であっても構わない。
【００８１】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００８２】
１・・・コネクタ、１０・・・第一コネクタ、１０ｆ・・・前側第一端子（第一端子）、１０ｂ・・・後側第一端子（第一端子）、１１ｆ・・・前側輪状接続部（輪状接続部）、１１１ｆ・・・突片、１２ｆ・・・電線接続部、１２１ｆ・・・導体圧着部、１２２ｆ・・・電線被覆圧着部、１３ｆ・・・中間部、１１ｂ・・・後側輪状接続部（輪状接続部）、１１１ｂ・・・突片、１２ｂ・・・電線接続部、１２１ｂ・・・導体圧着部、１２２ｂ・・・電線被覆圧着部、１３ｂ・・・中間部、２０・・・第三端子、２１・・・棒状接続部、２２・・・電線接続部、２２ａ・・・導体圧着部、２２ｂ・・・電線被覆圧着部、２３・・・中間部、２３ａ・・・開口部、３０・・・第一ハウジング（ハウジング）、３０ａ・・・先端開口、３０ｂ・・・後端開口、３１ｆ・・・前側端子取付外周面部（端子取付外周面部）、３１ｂ・・・後側端子取付外周面部（端子取付外周面部）、４０ｆ・・・前側係止部、４１ｆ・・・前側係止突起部、４２ｆ・・・前側係止段差部、４０ｂ・・・後側係止部、４１ｂ・・・後側係止突起部、４２ｂ・・・後側係止段差部、５０・・・テーパー部、６０・・・端子保持収容部、６１・・・端子収容空間、６２・・・端子係止部、７０・・・カバー取付部、８０・・・カバー、８１・・・蓋部、８１ａ・・・可撓部、８１ｂ・・・電線挿通孔、８２・・・突き当て段差部、２００・・・第二コネクタ、２１０ｆ・・・前側第二端子（第二端子）、２１１ｆ・・・第二端子輪状接続部、２１２・・・絞り部、２１２ａ・・・切り込み、２１３・・・内径一定部、２１４・・・接続片部、２１０ｂ・・・後側第二端子（第二端子）、２１１ｂ・・・第二端子輪状接続部、２１０ｍ・・・中間第二端子（第二端子）、２１１ｍ・・・第二端子輪状接続部、２２０・・・第二ハウジング、２２０ａ・・・嵌入口端縁面、２２１・・・第二端子保持収容部、Ｗ・・・電線
【図１】
2015035366.tif 000003
【図２】
2015035366.tif 000004
【図３】
2015035366.tif 000005
【図４】
2015035366.tif 000006
【図５】
2015035366.tif 000007
【図６】
2015035366.tif 000008
【図７】
2015035366.tif 000009
【図８】
2015035366.tif 000010
【図９】
2015035366.tif 000011
【図１０】
2015035366.tif 000012
【図１１】
2015035366.tif 000013
【図１２】
2015035366.tif 000014